(57)【要約】【課題】遊技球の誘導通路の前面側と、遊技盤の前面を覆うガラス板の内面との距離を大きくして該誘導通路の前面側に重厚感のある意匠を施すことが可能なパチンコ機の球誘導部材を提供すること。【解決手段】遊技盤面に取付けられる取付板２と、その取付板２の前面側に設けられる飾り部材１０との間に、遊技領域を転動する遊技球が通過可能な誘導通路１２を形成したパチンコ機の球誘導部材１において、その取付板２に遊技盤面より後方に位置するように形成された第１凹部５と、その飾り部材１０に形成された窪み部分１１の内面１１ａとにより生ずる空間部を誘導通路１２とした。【選択図】図２
2007167352.tif 000002
【特許請求の範囲】
【請求項１】
遊技盤面に取付けられる取付板と、その取付板の前面側に設けられる飾り部材との間に、遊技領域を転動する遊技球が通過可能な誘導通路を形成したパチンコ機の球誘導部材において、
前記取付板に遊技盤面より後方に位置するように形成された第１凹部と、前記飾り部材に形成された窪み部分の内面とにより生ずる空間部を前記誘導通路としたことを特徴とするパチンコ機の球誘導部材。
【請求項２】
前記飾り部材の窪み部分の前面側に装飾片を設けたことを特徴とする請求項１に記載のパチンコ機の球誘導部材。
【請求項３】
前記取付板の裏面側に発光装置を設置し、その発光装置から発せられる光を前記飾り部材若しくは前記装飾片の背面に照射することにより当該飾り部材若しくは装飾片を光らせるように設けたことを特徴とする請求項１又は２に記載のパチンコ機の球誘導部材。
【発明の詳細な説明】
【技術分野】
【０００１】
本発明は、パチンコ機の球誘導部材に関するものである。
【背景技術】
【０００２】
従来のパチンコ機の遊技領域には、遊技の内容を連想させるような意匠を施された球誘導部材が装着されるのが一般的である。
【０００３】
例えば、特開２００５−７３７３７号には、遊技領域の周縁部に遊技球の通過可能領域を設けると共に当該通過可能領域を通過した遊技球の一部が遊技領域の中央方向へ誘導されるようにした弾球遊技機が記載されている。その遊技球の通過可能領域における通路は遊技盤の前面側に配設されていることから、通路の前面側と、遊技盤の前面を覆うように装着されるガラス板の内面との距離は限定される。しかして、その距離については、通常のパチンコ機では約２ｍｍ程度であり、遊技球の通過可能領域の前面に重厚感のある意匠を施すことができなかった。
【特許文献１】特開２００５−７３７３７号公報
【発明の開示】
【発明が解決しようとする課題】
【０００４】
本発明の目的は、遊技球の誘導通路の前面側と、遊技盤の前面を覆うガラス板の内面との距離を大きくして該誘導通路の前面側に重厚感のある意匠を施すことが可能なパチンコ機の球誘導部材を提供することにある。
【課題を解決するための手段】
【０００５】
前記目的を達成するために請求項１に記載した発明は、遊技盤面に取付けられる取付板と、その取付板の前面側に設けられる飾り部材との間に、遊技領域を転動する遊技球が通過可能な誘導通路を形成したパチンコ機の球誘導部材において、前記取付板に遊技盤面より後方に位置するように形成された第１凹部と、前記飾り部材に形成された窪み部分の内面とにより生ずる空間部を前記誘導通路としたことを特徴とする。
【０００６】
同様の目的を達成するために請求項２に記載した発明は、請求項１に記載のパチンコ機の球誘導部材において、前記飾り部材の窪み部分の前面側に装飾片を設けたことを特徴とするものである。
【０００７】
同様の目的を達成するために請求項３に記載した発明は、請求項１又は２に記載のパチンコ機の球誘導部材において、前記取付板の裏面側に発光装置を設置し、その発光装置から発せられる光を前記飾り部材若しくは前記装飾片の背面に照射することにより当該飾り部材若しくは装飾片を光らせるように設けたことを特徴とするものである。
【発明の効果】
【０００８】
（請求項１の発明）
このパチンコ機の球誘導部材は、遊技球の誘導通路の前面側と、遊技盤の前面を覆うガラス板の内面との距離を大きくするように設けているのでデザインの自由度が増し、誘導通路の前面側に重厚感のある視覚的に優れた意匠を施すことが可能である。
【０００９】
（請求項２の発明）
このパチンコ機の球誘導部材は、飾り部材の窪み部分の前面側に装飾片を設けることにより、視覚的に優れた意匠を施すことが可能である。
【００１０】
（請求項３の発明）
このパチンコ機の球誘導部材は、飾り部材若しくは装飾片を発光装置により光らせることにより、視覚的に優れた電飾を施すことが可能である。
【発明を実施するための最良の形態】
【００１１】
以下に、本発明の最良の形態例を図面に基づいて説明する。図１は第１実施形態例のパチンコ機の球誘導部材の正面図、図２は図１のＡ−Ａ線断面図、図３は第１実施形態例の球誘導部材を遊技盤に設置した状態を示す説明図、図４は第２実施形態例のパチンコ機の球誘導部材（検出装置）の正面図、図５は図４のＢ−Ｂ線断面図、図６は第２実施形態例の検出装置を遊技盤に設置した状態を示す説明図である。
【００１２】
（実施形態例１）
図１に示す第１実施形態例のパチンコ機の球誘導部材１は、遊技盤に円形に配設される内レールの内方に沿うように左右対称に設けられるうちの左側のものである。この球誘導部材１の取付板２は、遊技盤面（遊技盤の前面）に取付けられる平坦部３に取付穴４を形成し、その平坦部３の所定位置に遊技盤面より後方に位置するように第１凹部５が形成されている。この実施形態例では、その第１凹部５の深さ寸法を約４ｍｍとしている。
なお、遊技盤面については、球誘導部材１の第１凹部５に対応してほぼ同じ形状からなる凹部を設けるものとする。
【００１３】
１０は取付板２の前面側に固定される飾り部材である。図２に示すように、この飾り部材１０の前面側は立体的な意匠を施されていて、当該飾り部材１０と取付板２との間には、遊技者により遊技領域に打ち込まれて当該遊技領域を転動する遊技球ｔが通過可能な誘導通路１２が設けられる。具体的には、飾り部材１０に形成された窪み部分１１の内面１１ａと、上記取付板２の第１凹部５とにより生ずる空間部が、誘導通路１２とされている。
【００１４】
１５は取付板２の所定箇所に形成された複数の透孔６に夫々挿入された導光部材である。それら導光部材１５の先端部１５ａは、上記飾り部材１０に適宜形成される装飾片たる花びら１０ａの背面に近接するように配置されている。また、導光部材１５の後端部１５ｂは固定片１６によって固定されている。
【００１５】
１８は取付板２の裏面側に設置される発光装置１７の電子回路基板である。この電子回路基板１８に介装された発光ダイオード１８ａは、前記導光部材１５の後端部１５ｂに近接するように配置されている。その電子回路基板１８は、取付板２の裏面と押さえ部材２０とにより挟持されており、取付板２のボス７に通したビス２１を締付けることにより固定されている。
【００１６】
しかして、飾り部材１０は、発光装置１７から発せられる光を導光部材１５を介して花びら１０ａの背面に照射することにより当該花びら１０ａを光らせるように設けられる。
【００１７】
かかる構成になるパチンコ機の球誘導部材１は、図３に示すように、遊技盤２５の前面に固定された外レール２６と内レール２７とにより区画される遊技領域２５ａに左右対称に配置される。その遊技領域２５ａには、一般入賞口２８、図柄表示装置２９、始動入賞口３０及び大入賞口３１等が設けられる。そして、遊技領域に打ち込まれた遊技球が始動入賞口３０に入賞することにより図柄表示装置２９の図柄が変動作動し、その表示された図柄が所定の図柄で揃ったときに、周知の「大当たり」と言われる特定遊技状態が発生して大入賞口３１を遊技球を受け入れる開放状態とし、所定の条件に基づいてその開放状態が所定回数だけ繰り返されて多量の景品球が放出されるように構成されている。
【００１８】
（実施形態例２）
第２実施形態例のパチンコ機の球誘導部材としての検出装置３５を図４に示す。この検出装置３５は、遊技盤面に取付けられる取付板３６に取付穴３７を形成し、その取付板３６のほぼ中央上部に検出スイッチ５１を装着する挿入口３８と当該検出スイッチ５１を固定するための係止片３９を後方に突出するように設けている。４０は挿入口３８の直下方の取付板３６に遊技盤面より後方に位置するように形成された第１凹部である。第１凹部４０は、正面から見て縦方向の凹部４０ａと当該凹部４０ａの終端部から右斜め下方に延びる凹部４０ｂとにより形成されている。その凹部４０ｂの出口は、上方から流入する遊技球が遊技領域に排出可能に開放されている。
【００１９】
４５は取付板３６の前面側に固定される飾り部材である。図５に示すように、この飾り部材４５の前面部４５ａは便器形状を模したリング形状とされ、その後部に上記検出スイッチ５１を収容すると共に遊技球を通過させることができる通過口４７を形成した枠片４６が設けられている。
【００２０】
４８は第１凹部４０のほぼ前方を塞ぐように設けられた異形の飾り片である。この飾り片４８は、後方に突設された軸部４８ａを、取付板３６の前面に形成された突部４１の軸孔４２に挿入して当該取付板３６に通したビス４３を締付けることにより固定されている。そして、飾り片４８の内面４８ｂと第１凹部４０とにより生ずる空間部は、遊技球ｔが通過可能な誘導通路４９とされている。
【００２１】
以上により、遊技領域に打ち込まれた遊技球が通過口４７、検出スイッチ５１を通過して誘導通路４９を通り、再び遊技領域に排出される検出装置３５が構成される。
【００２２】
かかる構成になるパチンコ機の検出装置３５は、図６に示すように、遊技盤５５の前面に固定された外レール５６と内レール５７とにより区画される遊技領域５５ａの右上方に配置される。その遊技領域５５ａには、電動入賞装置５８、図柄表示装置５９、始動ゲート６０、一般入賞口６１及び大入賞口６２等が設けられる。そして、遊技領域に打ち込まれた遊技球が始動ゲート６０を通過すると、その通過信号により電動入賞装置５８の一対の開閉羽根５８ａが逆ハ字形に開放する。ついで、電動入賞装置５８に備えられた検出スイッチ（図示せず）により遊技球が検出されると、図柄表示装置５９の図柄が変動表示を開始し、所定の図柄で停止することにより「大当たり」が発生する。これにより、検出装置３５の検出スイッチ５１の検出機能が有効化されるので、遊技者に有利な右打ちが行われる。そして、新たな遊技球が検出装置３５に入って検出スイッチ５１により通過を検出されると、大入賞口６２が所定ラウンドを上限として開成されるようにように構成されている。
【００２３】
以上に述べた通り、このパチンコ機の球誘導部材（検出装置）は、遊技球の誘導通路を遊技盤寄りに配置して当該誘導通路の前面側と、遊技盤の前面を覆うガラス板の内面との距離を大きくするように設けているので、デザインの自由度が増し、誘導通路の前面側に重厚感のある視覚的に優れた意匠を施すことができる利点がある。
【図面の簡単な説明】
【００２４】
【図１】第１実施形態例のパチンコ機の球誘導部材の正面図
【図２】図１のＡ−Ａ線断面図
【図３】第１実施形態例の球誘導部材を遊技盤に設置した状態を示す説明図
【図４】第２実施形態例のパチンコ機の球誘導部材（検出装置）の正面図
【図５】図４のＢ−Ｂ線断面図
【図６】第２実施形態例の検出装置を遊技盤に設置した状態を示す説明図
【符号の説明】
【００２５】
１・・・誘導部材
２，３６・・・取付板
５，４０・・・第１凹部
１０，４５・・・飾り部材
１０ａ・・・花びら（装飾片）
１１・・・窪み部分
１２，４９・・・誘導通路
１７・・・発光装置
１８ａ・・・発光ダイオード
３５・・・検出装置（誘導部材）
４８・・・飾り片
【図１】
2007167352.tif 000003
【図２】
2007167352.tif 000004
【図３】
2007167352.tif 000005
【図４】
2007167352.tif 000006
【図５】
2007167352.tif 000007
【図６】
2007167352.tif 000008